(57)【要約】【課題】蛍光体で波長変換された光の取出し効率を向上させることができると共に蛍光体の量及び表面積を増大させることのできる面状光源装置を実現する。【解決手段】  表面が出光面12ｂと成された透光性材料より成る導光板12と、該導光板12の一端面12ａの近傍に配置されたＬＥＤ14を備え、上記導光板12の裏面12ｃにシート状の不織布18を配置すると共に、該不織布18を構成する繊維20の表面に蛍光体16を担持させ、さらに、上記ＬＥＤ14の外側方、不織布18の裏面、上記ＬＥＤ14の配置される導光板12の一端面12ａ以外の端面を、アルミニウム等より成る光反射部材24で覆った面状光源装置10。【選択図】図１
0003117789.tif 000002
【実用新案登録請求の範囲】
【請求項１】
蛍光体を励起する波長の光を放射する光源と、表面が出光面と成された導光板とを備え、上記導光板の裏面に、蛍光体を担持して成る繊維の集合体を配置したことを特徴とする面状光源装置。
【請求項２】
蛍光体を励起する波長の光を放射する光源と、蛍光体を担持して成る繊維の集合体と、該繊維の集合体の上方に配置され、表面が出光面と成された光拡散板とを備えたことを特徴とする面状光源装置。
【請求項３】
上記繊維の集合体を、光源からの距離が大きくなるに従って、徐々に光拡散板との距離が小さくなるよう配置したことを特徴とする請求項２に記載の面状光源装置。
【請求項４】
上記繊維の集合体が不織布であり、該不織布を構成する繊維に蛍光体を担持させたことを特徴とする請求項１乃至３の何れかに記載の面状光源装置。
【考案の詳細な説明】
【技術分野】
【０００１】
この考案は、液晶表示パネルのバックライトや操作スイッチ類の光源等に好適に用いることのできる面状光源装置に関する。
【背景技術】
【０００２】
図１２は、従来の面状光源装置の一例を示すものであり、該面状光源装置70は、透光性材料より成る導光板72と、該導光板72の一端面72ａに沿って配置された光源としての発光ダイオード（ＬＥＤ）74を備えている。
また、上記ＬＥＤ74の外側方、導光板72の裏面、上記ＬＥＤ74の配置される導光板72の一端面72ａ以外の端面は、光反射部材76で覆われている。
上記導光板72の表面は出光面72ｂと成されており、該出光面72ｂ上には、上記ＬＥＤ74から発光された光を、所定波長の可視光等の光に変換する波長変換用の蛍光体78が膜状に被着されている。この膜状の蛍光体78は、バインダー中に蛍光体78を混合して被着・焼成することにより形成される。
【０００３】
この面状光源装置70にあっては、ＬＥＤ74から放射された光が導光板72の一端面72ａから導光板72内部に入射した後、出光面72ｂから略均一に出射して上記蛍光体78に照射されることにより、所定波長の可視光等の光に波長変換されて外部へ放射されるようになっている。
【考案の開示】
【考案が解決しようとする課題】
【０００４】
ところで、上記従来の面状光源装置70にあっては、蛍光体78で波長変換された光は、膜状の蛍光体78を透過する「透過光」となるため、波長変換された光が膜状の蛍光体78を透過して外部へ出射するまでの間に、その一部が蛍光体78によって吸収（自己吸収）されてしまい、光の取出し効率が良好ではなかった。
また、上記蛍光体78から放射される光の輝度は、一般に蛍光体78の量及び表面積に略比例するものであるが、上記従来の面状光源装置70にあっては、蛍光体78が導光板72の出光面72ｂ上に膜状に被着されていることから、十分な量及び表面積の蛍光体78を確保することができなかった。
【０００５】
本考案は、従来の上記問題点に鑑みて案出されたものであり、その目的とするところは、蛍光体で波長変換された光の取出し効率を向上させることができると共に蛍光体の量及び表面積を増大させることのできる面状光源装置を実現することにある。
【課題を解決するための手段】
【０００６】
上記の目的を達成するため、本考案に係る面状光源装置は、蛍光体を励起する波長の光を放射する光源と、表面が出光面と成された導光板とを備え、上記導光板の裏面に、蛍光体を担持して成る繊維の集合体を配置したことを特徴とする。
【０００７】
また、本考案に係る他の面状光源装置は、蛍光体を励起する波長の光を放射する光源と、蛍光体を担持して成る繊維の集合体と、該繊維の集合体の上方に配置され、表面が出光面と成された光拡散板とを備えたことを特徴とする。
この場合、上記繊維の集合体を、光源からの距離が大きくなるに従って、徐々に光拡散板との距離が小さくなるよう配置しても良い。
【０００８】
上記繊維の集合体としては、不織布が好ましく、この場合、不織布を構成する繊維に蛍光体を担持させる。
【考案の効果】
【０００９】
本考案に係る面状光源装置にあっては、繊維の集合体に蛍光体を担持せしめたことにより、蛍光体が立体的に担持されることとなり、この結果、蛍光体で波長変換される光を、蛍光体で反射された反射光として取り出すことができる。このため、蛍光体78で波長変換される光を透過光として取り出していた従来の面状光源装置70に比べ、光の取出し効率が向上する。
【００１０】
また、本考案の面状光源装置は、単位体積当たりの繊維の表面積が大きい繊維の集合体に蛍光体を担持せしめたことから、従来の面状光源装置70の如く、導光板72の出光面72ｂ上に蛍光体78を膜状に被着した場合に比べ、蛍光体の量及び表面積を増大させることができる。
【００１１】
尚、繊維の集合体に担持された蛍光体に照射される光源の光の強度は、光源からの距離が大きくなるに従って小さくなるため、蛍光体で波長変換される光の強度にバラツキが生じ、その結果、出光面から放射される光に輝度ムラを生じることがある。
そこで、本考案に係る他の面状光源装置において、上記繊維の集合体を、光源からの距離が大きくなるに従って、徐々に光拡散板との距離が小さくなるよう配置すれば、光源からの距離が大きい箇所の蛍光体で波長変換された光は、殆ど減衰することなく直ちに光拡散板の出光面から放射されるため、出光面から放射される光の輝度ムラを抑制することができる。
【００１２】
多数の繊維が立体的に絡み合って形成された不織布を、上記繊維の集合体として用い、該不織布を構成する繊維に蛍光体を担持させた場合には、単位体積当たりの繊維の表面積が極めて大きいことから、従来の面状光源装置70の如く、導光板72の出光面72ｂ上に蛍光体78を膜状に被着した場合に比べ、蛍光体の量及び表面積を飛躍的に増大させることができる。
【考案を実施するための最良の形態】
【００１３】
以下、図面に基づき、本考案に係る面状光源装置の実施形態を説明する。
図１及び図２は、本考案に係る第１の面状光源装置10を示すものであり、この第１の面状光源装置10は、アクリル樹脂、ガラス、ポリカーボネート樹脂等の透光性材料より成る導光板12と、該導光板12の一端面12ａの近傍に配置された光源としての複数のＬＥＤ14を備えている。該ＬＥＤ14は、後述する蛍光体を励起する波長の紫外線や可視光等の光を放射するものであり、ＬＥＤ14に限らず、冷陰極管等を用いることもできる。
【００１４】
上記導光板12の表面は出光面12ｂと成されている。また、導光板12の裏面12ｃには、蛍光体16を担持して成る繊維の集合体としてのシート状の不織布18が配置されている。
不織布18は、図３及び図４に示すように、多数の繊維20が立体的に絡み合って形成されるものであり、繊維20間には多数の空隙22（図５参照）が形成されており、また、多数の繊維20が立体的に絡み合っているため、単位体積当たりの繊維20の表面積が極めて大きいものである。
蛍光体16は、不織布18を構成する繊維20の表面に被着・担持されているものであり、図６に示すように、繊維20の表面に、蛍光体16の粒子が多数被着されている。
尚、不織布18を構成する繊維20の繊維密度や、不織布18の厚さ、目付等を適宜調整することにより、不織布18を構成する繊維20の総表面積を任意に増減可能である。
【００１５】
上記繊維20は、ナイロン、ポリエステル、アクリル、ポリプロピレン、ポリ塩化ビニル、フッ素樹脂等の樹脂繊維、レーヨン等のセルロース系の化学繊維、ガラス繊維、アルミナ、ボロン等の金属繊維、天然繊維等の短繊維から成り、その直径は１〜２０μｍ、長さは０．５〜２０mm程度である。    
尚、長さが５０〜１００mm程度の長繊維から成る繊維20を用いることも勿論可能である。
【００１６】
上記蛍光体16は、紫外線や青色可視光等の光の照射を受けると、この光を所定波長の可視光等の光に波長変換するものであり、例えば以下の組成のものを用いることができる。
紫外線等の光を赤色可視光に変換する赤色発光用の蛍光体16として、Ｍ２Ｏ２Ｓ：Ｅｕ（Ｍは、Ｌａ、Ｇｄ、Ｙの何れか１種）、0.5ＭｇＦ２・3.5ＭｇＯ・ＧｅＯ２：Ｍｎ、2ＭｇＯ・2ＬｉＯ２・Ｓｂ２Ｏ３：Ｍｎ、Ｙ（Ｐ，Ｖ）Ｏ4：Ｅｕ、ＹＶＯ4：Ｅｕ、（ＳｒＭｇ）3（ＰＯ4）：Ｓｎ、Ｙ２Ｏ３：Ｅｕ、ＣａＳｉＯ３：Ｐｂ，Ｍｎ等がある。
また、紫外線等の光を緑色可視光に変換する緑色発光用の蛍光体16として、ＢａＭｇ２Ａｌ１６Ｏ２７：Ｅｕ，Ｍｎ、Ｚｎ２ＳｉＯ4：Ｍｎ、（Ｃｅ，Ｔｂ，Ｍｎ）ＭｇＡｌ１１Ｏ１９、ＬａＰＯ4：Ｃｅ，Ｔｂ、（Ｃｅ，Ｔｂ）ＭｇＡｌ１１Ｏ１９、Ｙ２ＳｉＯ５：Ｃｅ，Ｔｂ、ＺｎＳ：Ｃｕ，Ａｌ、ＺｎＳ：Ｃｕ，Ａｕ，Ａｌ、（Ｚｎ，Ｃｄ）Ｓ：Ｃｕ，Ａｌ、ＳｒＡｌ２Ｏ４：Ｅｕ、ＳｒＡｌ２Ｏ４：Ｅｕ，Ｄｙ、Ｓｒ４Ａｌ１４Ｏ２５：Ｅｕ，Ｄｙ、Ｙ３Ａｌ５Ｏ１２：Ｔｂ、Ｙ３（Ａｌ，Ｇａ）５Ｏ１２：Ｔｂ、Ｙ３Ａｌ５Ｏ１２：Ｃｅ、Ｙ３（Ａｌ，Ｇａ）５Ｏ１２：Ｃｅ等がある。
更に、紫外線等の光を青色可視光に変換する青色発光用の蛍光体16として、(ＳｒＣａＢａ)５(ＰＯ４)３Ｃｌ：Ｅｕ、ＢａＭｇ２Ａｌ１６Ｏ２７：Ｅｕ、（ＳｒＭｇ）２Ｐ２Ｏ7：Ｅｕ、Ｓｒ２Ｐ２Ｏ7：Ｅｕ、Ｓｒ２Ｐ２Ｏ７：Ｓｎ、Ｓｒ５（ＰＯ4）３Ｃｌ：Ｅｕ、ＢａＭｇ２Ａｌ１６Ｏ２７：Ｅｕ、ＣａＷＯ4、ＣａＷＯ4：Ｐｂ、ＺｎＳ：Ａｇ，Ｃｌ、ＺｎＳ：Ａｇ，Ａｌ、(Ｓｒ，Ｃａ，Ｍｇ)１０(ＰＯ４)６Ｃｌ２：Ｅｕ等がある。
上記赤色発光用の蛍光体16、緑色発光用の蛍光体16、青色発光用の蛍光体16を適宜選択・混合して用いることで、種々の色の発色が可能である。
また、青色の可視光を放射するＬＥＤ14を用いて白色光を得る場合には、ＬＥＤ14から放射される光を補色としての黄色可視光に変換する黄色発光用の蛍光体16として、Ｙ３Ａｌ５Ｏ１２：Ｃｅ、ＹＢＯ３：Ｃｅ、ＢａＭｇＡｌ１０Ｏ１７：Ｅｕ，Ｍｎ、（Ｓｒ，Ｃａ，Ｂａ）（Ａｌ，Ｇａ）２Ｓ４：Ｅｕ、Ｂａ２ＳｉＯ４：Ｅｕ、（Ｓｒ，Ｂａ）２ＳｉＯ４：Ｅｕ、ＳｉＡｌＯＮ：Ｅｕ等がある。
尚、蛍光体16は、有機、無機の蛍光染料や、有機、無機の蛍光顔料を含むものである。
【００１７】
上記ＬＥＤ14の外側方、不織布18の裏面、上記ＬＥＤ14の配置される導光板12の一端面12ａ以外の端面は、アルミニウム等より成る光反射部材24で覆われている。
【００１８】
この第１の面状光源装置10にあっては、ＬＥＤ14から放射された光が導光板12の一端面12ａから導光板12内部に入射した後、導光板裏面12ｃに配置された不織布18に担持された蛍光体16に照射されることにより、所定波長の可視光等の光に波長変換される。この波長変換された光が導光板12内部を透過して、出光面12ｂから略均一に外部へ放射されるようになっている。
尚、ＬＥＤ14から放射された光の中で、導光板12の一端面12ａ側へ向かわなかった光を、ＬＥＤ14の外側方を覆う上記光反射部材24で反射させて導光板12の一端面12ａ側へ導くことができる。また、上記光反射部材24により、導光板12の一端面12ａ以外の端面から光が逃げるのを防止することができる。さらに、不織布18を透過した光を、不織布18の裏面を覆う上記光反射部材24で反射させて不織布18側へ導くことができる。
【００１９】
而して、上記第１の面状光源装置10にあっては、導光板12の裏面12ｃに不織布18を配置し、該不織布18を構成する繊維20の表面に蛍光体16を担持せしめたことから、蛍光体16が立体的に担持されることとなり、この結果、蛍光体16で波長変換される光を、蛍光体16で反射された反射光として取り出すことができる。このため、蛍光体78で波長変換される光を透過光として取り出していた従来の面状光源装置70に比べ、光の取出し効率が向上する。
また、本考案の第１の面状光源装置10は、単位体積当たりの繊維20の表面積が極めて大きい不織布18を構成する繊維20の表面に蛍光体16を担持せしめたことから、従来の面状光源装置70の如く、導光板72の出光面72ｂ上に蛍光体78を膜状に被着した場合に比べ、蛍光体16の量及び表面積を飛躍的に増大させることができる。
【００２０】
以下において、上記不織布18に蛍光体16を担持させる方法について説明する。
先ず、ポリプロピレン等の高融点材料より成る繊維20を、ポリエチレン等の低融点材料より成る繊維26で被覆した所定長さの複合繊維28（図７参照）を多数準備し、カード法やエアレイ法等を用いて、これら多数の複合繊維28より成るシート状の集積体（ウェブ）を形成する。
【００２１】
次に、シート状の集積体を、上記複合繊維28を構成する低融点材料より成る繊維26の融点より高く、且つ、高融点材料より成る繊維20の融点より低い温度で加熱し、低融点材料より成る繊維26のみを溶融させると共に、粒子状の蛍光体16を上記集積体に吹き付ける。
【００２２】
この結果、高融点材料より成る繊維20の交差部分が、溶融した低融点材料より成る繊維26を介して接着することにより、シート状の不織布18が形成されると共に、粒子状の蛍光体16が、溶融した低融点材料より成る繊維26を介して、不織布18を構成する繊維20の表面に接着・担持される。
上記方法にあっては、高融点材料より成る繊維20を低融点材料より成る繊維26で被覆した複合繊維28を用い、低融点材料より成る繊維26のみを溶融させて接着剤として機能させることにより、不織布18の形成と、不織布18を構成する繊維20の表面への蛍光体16の担持を略同時に行うことができるので、極めて製造容易である。
【００２３】
尚、上記方法以外にも、例えば、蛍光体16の分散樹脂液中に不織布18を浸漬した後乾燥させたり、不織布18の上方から、蛍光体16の分散樹脂液を滴下させることにより、不織布18を構成する繊維20の表面に蛍光体20を被着・担持させても良い。
また、不織布18を加熱して、該不織布18を構成する繊維20の表面を溶融させた状態で蛍光体16を吹き付けることにより、不織布18を構成する繊維20の表面に蛍光体16を被着・担持させることもできる。
さらに、高温加熱した蛍光体16を不織布18に吹きつけ、不織布18を構成する繊維20を一部溶融させることにより、不織布18を構成する繊維20の表面に蛍光体16を被着・担持させても良い。
【００２４】
図８は、本考案に係る第２の面状光源装置30を示すものであり、この第２の面状光源装置30は、上端開口を有するケース部材32と、該ケース部材32の底面32ａに配置された上記不織布18と、該不織布18の上方に配置されると共にケース部材32の上端開口を閉塞する光拡散板34と、ケース部材32内における上記不織布18の一端部18ａ近傍に配置された上記ＬＥＤ14を備えている。上記光拡散板34の表面は出光面34ａと成されている。
上記ケース部材32は、アルミニウム等の光反射率の高い材料で構成されている。また、上記光拡散板34は、アクリル樹脂、ガラス、ポリカーボネート樹脂等の透光性材料より成る。
【００２５】
この第２の面状光源装置30にあっては、ＬＥＤ14から放射された光がケース部材32底面32ａに配置された不織布18に担持された蛍光体16に照射されることにより、所定波長の可視光等の光に波長変換される。この波長変換された光が、不織布18の上方に配置された光拡散板34を透過して、出光面34ａから略均一に外部へ放射されるようになっている。
上記の通り、ケース部材32は光反射率の高い材料で構成されているので、ＬＥＤ14から放射された光の中で、不織布18側に向かわなかった光や不織布18を透過した光を、上記ケース部材32で反射させて不織布18側へ導くことができる。
また、蛍光体16で波長変換された光の中で、光拡散板34側に向かわなかった光を、上記ケース部材32で反射させて光拡散板34側へ導くことができる。
【００２６】
而して、上記第２の面状光源装置30にあっては、ケース部材32の底面32ａに不織布18を配置し、該不織布18を構成する繊維20の表面に蛍光体16を担持せしめたことから、蛍光体16が立体的に担持されることとなり、この結果、蛍光体16で波長変換される光を、蛍光体16で反射された反射光として取り出すことができる。このため、蛍光体78で波長変換される光を透過光として取り出していた従来の面状光源装置70に比べ、光の取出し効率が向上する。
また、本考案の第２の面状光源装置30は、単位体積当たりの繊維20の表面積が極めて大きい不織布18を構成する繊維20の表面に蛍光体16を担持せしめたことから、従来の面状光源装置70の如く、導光板72の出光面72ｂ上に蛍光体78を膜状に被着した場合に比べ、蛍光体16の量及び表面積を飛躍的に増大させることができる。
【００２７】
図９は、本考案に係る第３の面状光源装置36を示すものであり、この第３の面状光源装置36は、不織布18の配置されるケース部材32の底面32ａが、ＬＥＤ14からの距離が大きくなるに従って、徐々に光拡散板34との距離が小さくなる傾斜面と成されている点に特徴を有するものであり、その他の構成は、上記第２の面状光源装置30と実質的に同じである。この結果、ケース部材32の底面32ａに配置される不織布18も、光源であるＬＥＤ14からの距離が大きくなるに従って、徐々に光拡散板34との距離が小さくなるよう配置されることとなる。
【００２８】
図１０は、本考案に係る第４の面状光源装置38を示すものであり、この第４の面状光源装置38は、ケース部材32内における不織布18の両端部18ａ，18ｂ近傍にＬＥＤ14，14が配置され、また、ＬＥＤ14，14からの距離が大きくなるに従って、不織布18の配置されるケース部材の底面32ａが、その両端から中央に向かって徐々に、光拡散板34との距離が小さくなる傾斜面と成されている点に特徴を有するものである。この結果、ケース部材32の底面32ａに配置される不織布18も、光源であるＬＥＤ14，14からの距離が大きくなるに従って、その両端から中央に向かって徐々に、光拡散板34との距離が小さくなるよう配置されることとなる。
【００２９】
而して、不織布18に担持された蛍光体16に照射されるＬＥＤ14の光の強度は、ＬＥＤ14からの距離が大きくなるに従って小さくなるため、蛍光体16で波長変換される光の強度にバラツキが生じ、その結果、出光面34ａから放射される光に輝度ムラを生じることがある。
しかしながら、上記第３の面状光源装置36、第４の面状光源装置38にあっては、ケース部材32の底面32ａに配置される不織布18が、光源であるＬＥＤ14からの距離が大きくなるに従って、徐々に光拡散板34との距離が小さくなるよう配置されているので、
ＬＥＤ14からの距離が大きい箇所の蛍光体16で波長変換された光は、殆ど減衰することなく直ちに出光面34ａから放射されるため、出光面34ａから放射される光の輝度ムラを抑制することができる。
【００３０】
図１１は、本考案に係る第５の面状光源装置40を示すものであり、この第５の面状光源装置40は、上端開口を有し、その底面から上方に向かって孔径が徐々に拡大する略漏斗形状のケース部材42と、該ケース部材42の底面42ａに配置されたＬＥＤ14と、ケース部材42の底面42及び内周面42ｂに配置された上記不織布18と、該不織布18の上方に配置されると共にケース部材32の上端開口を閉塞する光拡散板34を備えている。
上記ケース部材32は、アルミニウム等の光反射率の高い材料で構成されている。
【００３１】
この第５の面状光源装置40にあっては、ＬＥＤ14から放射された光が、ケース部材42の底面42ａ及び内周面42ｂに配置された不織布18に担持された蛍光体16に照射されることにより、所定波長の可視光等の光に波長変換される。この波長変換された光が、不織布18の上方に配置された光拡散板34を透過して、出光面34ａから略均一に外部へ放射されるようになっている。
上記の通り、ケース部材42は光反射率の高い材料で構成されているので、ＬＥＤ14から放射された光の中で、不織布18側に向かわなかった光や不織布18を透過した光を、上記ケース部材42で反射させて不織布18側へ導くことができる。
また、蛍光体16で波長変換された光の中で、光拡散板34側に向かわなかった光を、上記ケース部材42で反射させて光拡散板34側へ導くことができる。
【００３２】
而して、上記第５の面状光源装置40にあっては、ケース部材42の底面42ａ及び内周面42ｂに不織布18を配置し、該不織布18を構成する繊維20の表面に蛍光体16を担持せしめたことから、蛍光体16が立体的に担持されることとなり、この結果、蛍光体16で波長変換される光を、蛍光体16で反射された反射光として取り出すことができる。このため、蛍光体78で波長変換される光を透過光として取り出していた従来の面状光源装置70に比べ、光の取出し効率が向上する。
また、本考案の第５の面状光源装置40は、単位体積当たりの繊維20の表面積が極めて大きい不織布18を構成する繊維20の表面に蛍光体16を担持せしめたことから、従来の面状光源装置70の如く、導光板72の出光面72ｂ上に蛍光体78を膜状に被着した場合に比べ、蛍光体16の量及び表面積を飛躍的に増大させることができる。
【００３３】
上記第１の面状光源装置10乃至第５の面状光源装置40において、例えば、青色可視光を放射するＬＥＤ14と、ＬＥＤ14から放射される青色可視光を黄色可視光に変換する蛍光体16を用いれば、ＬＥＤ14から放射された青色可視光と蛍光体16から放射された黄色可視光とが混色して白色光が放射され、液晶表示パネルのバックライト等として好適に使用することができる。
この場合、ＬＥＤ14から放射される青色可視光の一部は、不織布18に担持された蛍光体16に照射されることなく、直接、導光板12の出光面12ｂ方向、光拡散板34の出光面34ａ方向に向かうこととなる。この青色可視光は、蛍光体16に照射されることによる減衰を生じることがないため強度が大きく、斯かる強度の大きい青色可視光が、蛍光体16から放射された黄色可視光と混色して白色光が生成されるため、高輝度な白色光を得ることができる。
【００３４】
上記においては、繊維の集合体として、不織布18を用いた場合を例に挙げて説明したが、本発明はこれに限定されるものではなく、多数の繊維を織り込んで形成した織布を用い、該織布を構成する繊維に蛍光体を担持させても良い。この織布も、不織布18には及ばないものの、単位体積当たりの繊維の表面積が大きいものである。
【００３５】
また、上記においては、不織布18を構成する繊維20の「表面」に蛍光体16を担持せしめた場合を例に挙げて説明したが、本発明はこれに限定されるものではなく、例えば、透明樹脂等より成る透光性の繊維20に粒子状の蛍光体16を練り混むことにより、不織布18を構成する繊維20に蛍光体16を担持させても良い。
この場合、例えば、未硬化状態の透明樹脂中に、粒子状の蛍光体を所定量混合した後、透明樹脂を延伸、硬化させ、その後、所定の長さに切断することにより、蛍光体16が練り混まれた多数の繊維を形成し、斯かる蛍光体16が練り混まれた多数の繊維を用いて不織布18を形成すれば良い。
【図面の簡単な説明】
【００３６】
【図１】本考案に係る第１の面状光源装置の概略断面図である。
【図２】本考案に係る第１の面状光源装置の平面図である。
【図３】蛍光体を担持した不織布を模式的に示す斜視図である。
【図４】蛍光体を担持した不織布を模式的に示す部分拡大図である。
【図５】不織布を構成する繊維を模式的に示す拡大図である。
【図６】不織布を構成する繊維を模式的に示す断面図である。
【図７】複合繊維を示す概略断面図である。
【図８】本考案に係る第２の面状光源装置の概略断面図である。
【図９】本考案に係る第３の面状光源装置の概略断面図である。
【図１０】本考案に係る第４の面状光源装置の概略断面図である。
【図１１】本考案に係る第５の面状光源装置の概略断面図である。
【図１２】従来の面状光源装置を示す概略断面図である。
【符号の説明】
【００３７】
10    第１の面状光源装置
12    導光板
12ｂ  出光面
14    ＬＥＤ  
16    蛍光体
18    不織布
20    繊維
24    光反射部材
30    第２の面状光源装置
32    ケース部材
34    光拡散板
34ａ  出光面
36    第３の面状光源装置
38    第４の面状光源装置
40    第５の面状光源装置
42    ケース部材
【図１】
0003117789.tif 000003
【図２】
0003117789.tif 000004
【図３】
0003117789.tif 000005
【図４】
0003117789.tif 000006
【図５】
0003117789.tif 000007
【図６】
0003117789.tif 000008
【図７】
0003117789.tif 000009
【図８】
0003117789.tif 000010
【図９】
0003117789.tif 000011
【図１０】
0003117789.tif 000012
【図１１】
0003117789.tif 000013
【図１２】
0003117789.tif 000014